(57)【要約】【課題】塵埃等の異物や尖った物品がアッパーレールの通路となる開口部からロアレールの内部に入り込むのを確実に防ぐ。【解決手段】複数の短冊片を無端のキャタピラ状にヒンジ連結したシャッター４を備え、ロアレール２の長手方向をシャッター４の相並行する上下部分４０，４１の間に配置すると共に、シャッター４の前後部分４２，４３をロアレール２の上下方向に回し込ませ、シャッターガイド５をロアレール２に組み付けてシャッター４の上下部分４０，４１をシャッターガイド５で摺動可能に支持し、所定幅のスリット４４をシャッター４の上側部分４０に設けてアッパーレール１の転動部３をシャッター４のスリット４４よりロアレール２の内部に組み付け、シート本体の位置移動と追随させてシャッター４を走行動可能に備え付ける。【選択図】  図６
2004210113.tif 000002
【特許請求の範囲】
【請求項１】
アッパーレールをシート本体の下部側に取り付け、ロアレールを車体フロアのフロア面に設置し、ロアレールの内部に組み付けるアッパーレールの転動部を備え、シート本体を車内の前後方向に向けて位置移動可能に装備する自動車用シートのスライドレールにおいて、
複数の短冊片を無端のキャタピラ状にヒンジ連結したシャッターを備え、ロアレールの長手方向をシャッターの相並行する上下部分の間に配置すると共に、シャッターの前後部分をロアレールの上下方向に回し込ませ、更に、シャッターガイドをロアレールに組み付けてシャッターの上下部分をシャッターガイドで摺動可能に支持し、所定幅のスリットをシャッターの上側部分に設けてアッパーレールの転動部をシャッターのスリットよりロアレールの内部に組み付け、シート本体の位置移動と追随させてシャッターを走行動可能に備え付けたことを特徴とする自動車用シートのスライドレール。
【請求項２】
リードスクリューをロアレールの長手方向に軸受け固定し、リードスクリューの軸線上に螺合するスクリューナットを前後から係止するブラケットプレートでアッパーレールに取り付け、更に、アッパーレールをギアボックスと兼ねて駆動モータで正逆いずれかに回動するウオームギアを備え付け、そのウオームギアをシャッターのスリットよりスクリューナットと噛合し、モータ駆動によるシート本体の位置移動と追随させてシャッターを走行動可能に備え付けたことを特徴とする請求項１に記載の自動車用シートのスライドレール。
【発明の詳細な説明】
【０００１】
【発明の属する技術分野】
本発明は、シート本体を車内の前後方向に向けて位置移動可能に装備する自動車用シートのスライドレールに関するものである。
【０００２】
【従来の技術】
自動車用シートをスライド式に装備する場合、アッパーレールをシート本体の下部側に取り付け、ロアレールを車体フロアのフロア面に設置し、アッパーレールの転動部をロアレールの内部に組み付け、アッパーレールをロアレールでスライド可能に支持するスライドレールが備え付けられている。このスライドレールにおいては、アッパーレールをスライド案内する所定幅の開口部が長手方向に向かう通路としてロアレールの上面に設けられている。
【０００３】
そのスライドレールでは、塵埃等の異物やシートクッションの下部空間に入れられる傘の先端のような尖った物品がアッパーレールの通路となる開口部からロアレールの内部に入り込む虞れがある。この塵埃等の異物や尖った物品がロアレールの内部に入り込むと、アッパーレールの転動部によるスライド不能等の支障を来たし、特に、モータ駆動によるパワースライド機構を備えるものでは故障を生ずる原因ともなり兼ねない。
【０００４】
塵埃等の異物が侵入するのを防ぐため、アッパーレールと摺接可能なリップ部を設けたシールカバーをロアレールの上面側に備え付けるものがある。然し、このシールカバーでは、リップ部の撓み変形が経時的に生ずるばかりでなく、尖った物品等が割り込むのは防げない。
【０００５】
【発明が解決しようとする課題】
本発明は、塵埃等の異物や尖った物品がアッパーレールの通路となる開口部からロアレールの内部に入り込むのを確実に防げる自動車用シートのスライドレールを提供することを目的とする。
【０００６】
【課題を解決するための手段】
本発明の請求項１に係る自動車用シートのスライドレールにおいては、複数の短冊片を無端のキャタピラ状にヒンジ連結したシャッターを備え、ロアレールの長手方向をシャッターの相並行する上下部分の間に配置すると共に、シャッターの前後部分をロアレールの上下方向に回し込ませ、更に、シャッターガイドをロアレールに組み付けてシャッターの上下部分をシャッターガイドで摺動可能に支持し、所定幅のスリットをシャッターの上側部分に設けてアッパーレールの転動部をシャッターのスリットよりロアレールの内部に組み付け、シート本体の位置移動と追随させてシャッターを走行動可能に備え付けることにより構成されている。
【０００７】
本発明の請求項２に係る自動車用シートのスライドレールにおいては、リードスクリューをロアレールの長手方向に軸受け固定し、リードスクリューの軸線上に螺合するスクリューナットを前後から係止するブラケットプレートでアッパーレールに取り付け、更に、アッパーレールをギアボックスと兼ねて駆動モータで正逆いずれかに回動するウオームギアを備え付け、そのウオームギアをシャッターのスリットよりスクリューナットと噛合し、モータ駆動によるシート本体の位置移動と追随させてシャッターを走行動可能に備え付けることにより構成されている。
【０００８】
【発明の実施の形態】
以下、添付図面を参照して説明すると、図示実施の形態は、図１で示すようにベンチ型のリアシートをパワースライドシートＳとして装備する左右対のスライドレールを構成するのに適用されている。このスライドレールは、シート本体Ｓの下部側に取り付けられるアッパーレール１，１’と、車体フロアＦのフロア面に設置されるロアレール２，２’と、アッパーレール１，１’を転動するローラを含むパワースライド機構（図示せず）を備えて組み立てられている。
【０００９】
ロアレール２は、図２で示すように車内の前後方向に向うレール本体２ａと、レール本体２ａの前後並びに側部に設けられた複数のスタンド脚部２ｂ〜２ｅ（図１参照）を備えて形成されている。レール本体２ａは、上向きコの字状のレール基部２０と、レール基部２０の上端側から水平方向内側に張り出す上面フランジ２１，２２とからなり、アッパーレール１の通路となる開口部２３を上面フランジ２１，２２の相対間に保つよう形成されている。このロアレール２は、レール本体２ａを底上げさせてスタンド脚部２ｂ〜２ｅで車体フロアＦのフロア面に支持されている。
【００１０】
そのスライドレールには、図３で示すようなモータ駆動によるパワースライド機構３が備え付けられている。このパワースライド機構３は、可逆駆動モータ３０（図１参照）と、ロアレール２の内部で長手方向に向うリードスクリュー３１と、リードスクリューの軸線上に相対移動可能に螺合されるスクリューナット３２と、駆動モータ３０の回動軸に備えられるウォームギヤ３３とを備えて構成されている。
【００１１】
リードスクリュー３１は、前後の軸端側をブラケットプレート（図示せず）で軸受けさせてロアレール２の内部に取付け固定されている。スクリューナット３２は、リードスクリュー３１並びにウォームギア３３と螺合するねじ部を内外周面に有し、前後側をブラケットプレート３４で係止させてアッパーレール１の内部に備えられている。ウォームギア３３は、スクリューナット３２と噛合させて可逆駆動モータ３０で正逆いずれかに回動するようギアボックスを兼ねるアッパーレール１の内部に収容されている。
【００１２】
そのスライドレールにおいては、図４で示すようにシャッター４が備え付けられている。シャッター４は、相隣接する複数の短冊片４ａをヒンジピン４ｂ（一部のみ図示）で無端のキャタピラ状に軸承連結したものが備え付けられている。このシャッター４は、ロアレール２の長手方向を相並行する上下部分４０，４１の間に配置すると共に、前後部分４２，４３（図１参照）をロアレール２の上下方向に回し込ませて組み付けられている。
【００１３】
そのシャッターには、図５で示すようにシャッターガイド５が組み付けられている。シャッターガイド５は、アッパーガイド５ａとアンダーガイド５ｂとから形成されている。アッパーガイド５ａは、左右の上カバー５０ａ，５０ｂと、左右のサイドフランジ５１ａ，５１ｂと、上カバー５０ａ，５０ｂと間隔を保ってサイドフランジ５１ａ，５１ｂより平行に張り出す左右の受け桟５２ａ，５２ｂとから形成されている。アンダーガイド５ｂは、下カバー５３と、下カバー５３の両側に起立するサイドフランジ５４ａ，５４ｂと、下カバー５３と間隔を保ってサイドフランジ５４ａ，５４ｂより平行に張り出す左右の受け桟５５ａ，５５ｂとから形成されている。
【００１４】
アッパーガイド５ａは、図６で示すように左右の上カバー５０ａ，５０ｂをロアレール２の上面フランジ２１，２２に被せてサイドフランジ５１ａ，５１ｂをレール基部２０の側面にあてがい固定し、シャッター４の上側部分４０を上カバー５０ａ，５０ｂと受け桟５２ａ，５２ｂとで摺動可能に支持するよう取り付けられている。アンダーガイド５ｂは、下カバー５３とサイドフランジ５４ａ，５４ｂとをロアレール２の下側に嵌込み固定し、シャッターの上側部分４１を下カバー５３と受け桟５５ａ，５５ｂとで摺動可能に支持するよう取り付けられている。
【００１５】
シャッター４には、図７で示すように長手方向に亘る所定幅のスリット４４が上カバー５０ａ，５０ｂの相対間隔から露出する上側部分４０の面内に設けられている。このシャッター４のスリット４４からは、ウオームギア３３をスクリューナット３２と噛合するよう組み付けられている。なお、アッパーレール１を転動支持するローラ（図示せず）はロアレール２の開口部２３より内部に挿置されるアッパーレール１のフランジ部に備え、同様なスリットをシャッター４の上側部分４０に設けてロアレール２の内部に組み付けられる。
【００１６】
このように構成するスライドレールでは、駆動モータ３０を作動するようシート本体に備えられるスイッチを操作すると、可逆駆動モータ３０が作動すると共に、ウォームギア３３が正逆いずれかに回動し、スクリューナット３１をリードスクリュー３１の軸線上で相対移動する。その構成中、スクリューナット３２がシャッター４のスリット４４より挿置されるアッパーレール２のブラケットプレート３４で係止されているため、シート本体Ｓがアッパーレール２で位置移動するのと追随し、シャッター４が走行動する。また、シャッター４はシャッターガイド５で摺動可能に支持されているから安定よく走行動できる。
【００１７】
そのスライドレールでは、ロアレール２の長手方向がシャッター４の相並行する上下部分４０，４１の間に配置されているため、アッパーレール１の通路となる開口部２３がシャッター４の上側部分４０で覆われている。これにより、シートクッションの下部空間に入れられる傘の先端のような尖った物品がアッパーレールの通路となる開口部２３からロアレール２の内部に入り込むのを確実に防げる。また、シャッター４を含むロアレール２がシャッターガイド５のアッパーガイド５ａとアンダーガイド５ｂとで囲まれているから、塵埃等の異物がロアレール２の内部に入り込むのも防げる。
【００１８】
上述した実施の形態は、パワースライドシートのスライドレールに基づいて説明したが、アッパーレールを転動支持するローラによる手動式のスライドレールにおいて、シャッターのスリットを介してロアレールの開口部より内部に挿置されるアッパーレールのフランジ部でシャッターを追随させて走行動するよう構成するにも適用できる。
【００１９】
【発明の効果】
以上の如く、本発明の請求項１に係る自動車用シートのスライドレールに依れば、ロアレールの長手方向をシャッターの相並行する上下部分の間に配置するため、アッパーレールの通路となる開口部をシャッターの上側部分で覆えることにより、シートクッションの下部空間に入れられる傘の先端のような尖った物品がアッパーレールの通路となる開口部からロアレールの内部に入り込むのを確実に防げ、また、シャッターを含むロアレールをシャッターガイドで囲むことから、塵埃等の異物がロアレールの内部に入り込むのも防げる。
【００２０】
本発明の請求項２に係る自動車用シートのスライドレールに依れば、リードスクリューをロアレールの長手方向に軸受け固定し、リードスクリューの軸線上に螺合するスクリューナットを前後から係止するブラケットプレートでアッパーレールに取り付け、更に、アッパーレールをギアボックスと兼ねて駆動モータで正逆いずれかに回動するウオームギアを備え付け、そのウオームギアをシャッターのスリットよりスクリューナットと噛合し、モータ駆動によるシート本体の位置移動と追随させてシャッターを走行動可能に備え付けることによっても、塵埃等の異物や尖った物品がアッパーレールの通路となる開口部からロアレールの内部に入り込むのを確実に防げる。
【図面の簡単な説明】
【図１】本発明に係る自動車用シートをパワースライドリアシートで適用する場合を示す説明図である。
【図２】図１のパワースライドリアシートに備えられるスライドレールのロアレールを部分的に示す斜視図である。
【図３】図１のパワースライドリアシートに備えられるパワースライド機構を主に示す側断面図である。
【図４】図１のスライドレールに備えられるシャッターを部分的に示す斜視図である。
【図５】図１のスライドレールに備えられるシャッターガイドを示す断面図である。
【図６】図１のパワースライドリアシートに備えられるパワースライド機構を主に示す横断面図である。
【図７】図１のスライドレールに備えられるロアレール、シャッター並びにシャッターガイドを示す斜視図である。
【符号の説明】
１                    アッパーレール
２                    ロアレール
３０                  駆動モータ
３１                  リードスクリュー
３２                  スクリューナット
３３                  ウォームギア
４                    シャッター
４０，４１            シャッターの上下部分
４２，４３            シャッターの前後部分
４４                  シャッターのスリット
５                    シャッターガイド
【図１】
2004210113.tif 000003
【図２】
2004210113.tif 000004
【図３】
2004210113.tif 000005
【図４】
2004210113.tif 000006
【図５】
2004210113.tif 000007
【図６】
2004210113.tif 000008
【図７】
2004210113.tif 000009